(57)【要約】【課題】ステーを張る必要が無く、アンテナを屋根の上に容易に設置でき、低価格で且つ美観上においても優れたアンテナ屋根取付金具を提供する。【解決手段】支持ベース１１の上面中央にマスト取付金具１２ａ、１２ｂを所定の間隔で垂直に設ける。マスト取付金具１２ａ、１２ｂにはネジ挿通穴１５ａ、１５ｂ及び円弧状の溝１６ａ、１６ｂを設ける。マスト取付金具１２ａ、１２ｂ間にマスト１３の下端部を位置させ、ネジ挿通穴１５ａ、１５ｂからネジ２３ａ、２３ｂを挿入してマスト１３のネジ穴２１ａ、２１ｂに螺着し、円弧状の溝１６ａ、１６ｂからネジ２４ａ、２４ｂを挿入してマスト１３のネジ穴２２ａ、２２ｂに螺着する。ネジ２３ａ、２３ｂ、２４ａ、２４ｂを緩めると、マスト１３はネジ２３ａ、２３ｂを軸として前後方向に回動可能に保持されて仰角を調整でき、傾斜している屋根に取付けてもマスト１３を大地に対して垂直な状態に保持できる。【選択図】図１
2011089336.tif 000002
【特許請求の範囲】
【請求項１】
板状部材により形成された支持ベースと、前記支持ベースの上面に略垂直に且つ所定の間隔で相対向して設けられた１対のマスト取付金具と、前記各マスト取付金具の相対向する面に設けられるネジ挿通穴と、前記各マスト取付金具に前記ネジ挿通穴を回転中心として設けられる円弧状の溝と、前記各マスト取付金具に設けられたネジ挿通穴及び円弧状の溝にそれぞれネジを挿入して該マスト取付金具間にアンテナマストの下方の端部をネジ止めする手段とを具備し、
前記マスト取付金具のネジ挿通穴から挿入されたネジを中心軸とし、前記円弧状の溝に挿入されたネジが該溝内で移動できる範囲内で前記アンテナマストの仰角を調整できるように構成したことを特徴とするアンテナ屋根取付金具。
【請求項２】
板状部材により形成された支持ベースと、前記支持ベースに装着されるマスト仰角調整機構を備えたマスト取付金具と、前記マスト取付金具に取付けられるマスト保持筒と、前記マスト保持筒に下側が挿入され、マスト取付用ネジにより該マスト保持筒にネジ止めされるアンテナマストとを具備し、
前記マスト保持筒又は前記アンテナマストの外周面に沿って異なる位置に複数のマスト位置調整穴を設け、該複数のマスト位置調整穴を選択して前記マスト取付用ネジを挿入することで前記アンテナマストの取付方位角度を調整可能に構成したことを特徴とするアンテナ屋根取付金具。
【請求項３】
家屋の屋根に使用される瓦と同様の形状に金属部材を用いて形成された支持瓦と、前記支持瓦に装着されてアンテナマストを保持するマスト取付金具とを具備し、
前記マスト取付金具は、前記アンテナマストの仰角を調整するマスト仰角調整機構を備えたことを特徴とするアンテナ屋根取付金具。
【発明の詳細な説明】
【技術分野】
【０００１】
本発明は、例えば地上放送波、通信等に使用されるアンテナを一般家屋の屋根に取付けるためのアンテナ屋根取付金具に関する。
【背景技術】
【０００２】
近年では、２００３年１２月から関東、近畿及び中京広域圏で地上デジタル（テレビジョン）放送（ＩＳＴＢ−Ｔ：Terrestrial Integrated Services Digital Broadcasting）放送が開始され、２００６年にはその他の地域でも放送が開始されている。
【０００３】
上記地上デジタル放送は、従来のアナログ放送と異なり、ゴースト／ビートの発生がなく、所謂Ｃ／Ｎ（carrier to noise ratio）を満足することで良好な画像が得られる。
【０００４】
上記地上デジタル放送はＵＨＦ帯の電波を使用しているので、各家庭で地上デジタル放送を受信するにはＵＨＦ用アンテナを設置する必要がある。アンテナを屋根の上に設置する場合、従来では屋根馬を使用し、この屋根馬にアンテナマストを立ててアンテナを取付け、更にアンテナマストに対して複数本のステーを張ることによりアンテナを強固に保持している（例えば、特許文献１参照。）。
【先行技術文献】
【特許文献】
【０００５】
【特許文献１】実開昭６２−２０１５０５号公報
【発明の概要】
【発明が解決しようとする課題】
【０００６】
一般家庭においてテレビ放送受信用のアンテナを屋根の上に設置する場合、従来では屋根馬を利用してアンテナを取付けているので、アンテナの位置が高くなり、家屋から極端に突出した状態となって美観を損ねていた。また、ステーを張る必要があるので、施工に時間が掛かると共に施工する人も複数必要であり、施工効率が悪いという問題があった。更に、屋根馬やステー及びステー金具などの複数の部材が必要であり、価格的にも高価になるという問題があった。
【０００７】
本発明は上記の課題を解決するためになされたもので、ステーを張る必要が無く、アンテナを屋根の上に容易に設置でき、低価格で且つ美観上においても優れたアンテナ屋根取付金具を提供することを目的とする。
【課題を解決するための手段】
【０００８】
第１の発明に係るアンテナ屋根取付金具は、板状部材により形成された支持ベースと、前記支持ベースの上面に略垂直に且つ所定の間隔で相対向して設けられた１対のマスト取付金具と、前記各マスト取付金具の相対向する面に設けられるネジ挿通穴と、前記各マスト取付金具に前記ネジ挿通穴を回転中心として設けられる円弧状の溝と、前記各マスト取付金具に設けられたネジ挿通穴及び円弧状の溝にそれぞれネジを挿入して該マスト取付金具間にアンテナマストの下方の端部をネジ止めする手段とを具備し、前記マスト取付金具のネジ挿通穴から挿入されたネジを中心軸とし、前記円弧状の溝に挿入されたネジが該溝内で移動できる範囲内で前記アンテナマストの仰角を調整できるように構成したことを特徴とする。
【０００９】
第２の発明に係るアンテナ屋根取付金具は、板状部材により形成された支持ベースと、前記支持ベースに装着されるマスト仰角調整機構を備えたマスト取付金具と、前記マスト取付金具に取付けられるマスト保持筒と、前記マスト保持筒に下側が挿入され、マスト取付用ネジにより該マスト保持筒にネジ止めされるアンテナマストとを具備し、前記マスト保持筒又は前記アンテナマストの外周面に沿って異なる位置に複数のマスト位置調整穴を設け、該複数のマスト位置調整穴を選択して前記マスト取付用ネジを挿入することで前記アンテナマストの取付方位角度を調整可能に構成したことを特徴とする。
【００１０】
第３の発明に係るアンテナ屋根取付金具は、家屋の屋根に使用される瓦と同様の形状に金属部材を用いて形成された支持瓦と、前記支持瓦に装着されてアンテナマストを保持するマスト取付金具とを具備し、前記マスト取付金具は、前記アンテナマストの仰角を調整するマスト仰角調整機構を備えたことを特徴とする。
【発明の効果】
【００１１】
本発明によれば、屋根馬を用いずに家屋の屋根にアンテナを容易に取付けることができ、また、アンテナマストにステーを張る必要が無いので一人での作業が可能となり、且つマストの仰角を調整して屋根の傾斜に依存することなく大地に対して垂直にマストを設置でき、アンテナを正しい状態に設置することができる。また、屋根上の突起物を少なくして美観上においても優れ、且つ屋根馬を使用する場合に比較して使用する部材の種類を少なくでき、価格の低下を図ることができる。
【図面の簡単な説明】
【００１２】
【図１】本発明の実施例１に係るアンテナ屋根取付金具の構成例を示す分解斜視図である。
【図２】同実施例１に係るアンテナ屋根取付金具の構成を示し、（ａ）は正面図、（ｂ）は側面図、（ｃ）は上面図である。
【図３】（ａ）は同実施例１に係るアンテナ屋根取付金具を屋根に取付けた状態を示す斜視図、（ｂ）は同図（ａ）におけるアンテナ屋根取付金具にマストを介してアンテナを取付けた状態を示す斜視図である。
【図４】本発明の実施例２に係るアンテナ屋根取付金具の構成例を示し、（ａ）は支持ベースを屋根の傾斜に合わせて斜めに設置すると共にマストを大地に対して垂直に保持した状態を示す正面図、（ｂ）は同側面図、（ｃ）は同上面図である。
【図５】同実施例２に係るアンテナ屋根取付金具において、支持ベースを水平に保持すると共にマストを大地に対して垂直に保持した状態を示し、（ａ）は正面図、（ｂ）は側面図、（ｃ）は上面図である。
【図６】本発明の実施例３に係るアンテナ屋根取付金具の構成例を示し、（ａ）は正面図、（ｂ）は側面図、（ｃ）は上面図である。
【図７】本発明の実施例４に係るアンテナ屋根取付金具の構成例を示し、（ａ）は分解斜視図、（ｂ）は組立てた状態を示す斜視図である。
【図８】同実施例４に係るアンテナ屋根取付金具の構成例を示し、（ａ）は正面図、（ｂ）は側面図、（ｃ）は上面図である。
【図９】本発明の実施例５に係るアンテナ屋根取付金具の構成例を示し、（ａ）は正面図、（ｂ）は側面図、（ｃ）は上面図である。
【図１０】同実施例５に係るアンテナ屋根取付金具を用いて家屋の屋根にアンテナを設置する場合の手順例を示したもので、（ａ）は家屋の屋根に補強板を取付けた状態を示す斜視図、（ｂ）は上記補強板にアンテナ屋根取付金具を取付けた状態を示す斜視図、（ｃ）はアンテナ屋根取付金具に装着したマストにアンテナを取付けた状態を示す斜視図である。
【図１１】本発明の実施例６に係るアンテナ屋根取付金具の構成例を示し、（ａ）は正面図、（ｂ）は側面図、（ｃ）は上面図である。
【図１２】本発明の実施例７に係るアンテナ屋根取付金具の構成例を示し、（ａ）は屋根の傾斜に合わせて斜めに設置した状態を示す正面図、（ｂ）は側面図、（ｃ）は上面図である。
【図１３】本発明の実施例８に係るアンテナ屋根取付金具の構成例を示し、（ａ）は屋根の傾斜に合わせて斜めに設置した状態を示す正面図、（ｂ）は側面図、（ｃ）は上面図である。
【図１４】本発明の実施例９に係るアンテナ屋根取付金具の構成例を示し、（ａ）は正面図、（ｂ）は側面図、（ｃ）は上面図である。
【図１５】本発明の実施例１０に係るアンテナ屋根取付金具の構成例を示し、（ａ）は正面図、（ｂ）は側面図、（ｃ）は上面図である。
【図１６】本発明の実施例１１に係るアンテナ屋根取付金具の構成例を示す分解斜視図である。
【図１７】同実施例１１に係るアンテナ屋根取付金具を組立てた状態を示す正面図である。
【発明を実施するための形態】
【００１３】
以下、本発明の実施の形態について図面を参照して詳細に説明する。
【実施例１】
【００１４】
図１は本発明の実施例１に係るアンテナ屋根取付金具の構成例を示す分解斜視図である。図２（ａ）は図１におけるアンテナ屋根取付金具の正面図、（ｂ）は同側面図、（ｃ）は同上面図である。
【００１５】
図１及び図２において、１１はアンテナ屋根取付金具の支持ベースで、例えば正方形に形成される。この支持ベース１１の上面には、中央部に１対のマスト取付金具１２ａ、１２ｂが所定の間隔で垂直に設けられ、該マスト取付金具１２ａ、１２ｂにアンテナマスト１３が取付けられる。この場合、マスト取付金具１２ａ、１２ｂは、支持ベース１１の前端１０に対して垂直の方向に設けられる。すなわち、マスト取付金具１２ａ、１２ｂは、一方の側端が支持ベース１１の前端１０側に位置するように設けられる。
【００１６】
上記支持ベース１１の大きさは、使用するアンテナに合わせて適宜設定するが、この例では厚さが約２ｍｍの金属板を使用し、一辺の幅Ｗを約１５０ｍｍに設定している。上記支持ベース１１には、四隅に取付孔１４が設けられる。
【００１７】
マスト取付金具１２ａ、１２ｂの大きさは、マスト１３に合わせて適宜設定されるが例えば略四角形に形成され、横幅ｄ１が約６８ｍｍ、高さｈが約５４ｍｍに設定される。マスト取付金具１２ａ、１２ｂの間隔ｄ２は、マスト１３の直径φより１〜２ｍｍ程度大きい値に設定される。また、マスト取付金具１２ａ、１２ｂには、側面の上部中央にネジ挿通穴１５ａ、１５ｂが設けられると共に下部中央から前端方向に向かって円弧状の溝１６ａ、１６ｂが設けられる。上記円弧状の溝１６ａ、１６ｂは、ネジ挿通穴１５ａ、１５ｂを回転中心とする同心円上に設けられる。
【００１８】
一方、上記マスト取付金具１２ａ、１２ｂに取付けるマスト１３には、下端部にネジ穴２１ａ、２１ｂ及びネジ穴２２ａ、２２ｂが上下に所定の間隔を保って設けられる。この場合、ネジ穴２１ａ、２１ｂはマスト取付金具１２ａ、１２ｂのネジ挿通穴１５ａ、１５ｂに対応する位置に設けられ、ネジ穴２２ａ、２２ｂはマスト取付金具１２ａ、１２ｂの円弧状の溝１６ａ、１６ｂに対応する位置に設けられる。上記マスト１３の直径及び長さは、使用するアンテナに合わせて適宜設定する。ここでは直径φが約５０ｍｍ、高さＨ１が約４００ｍｍのマスト１３を使用した場合について説明する。
【００１９】
上記マスト１３をマスト取付金具１２ａ、１２ｂに取付ける場合には、マスト１３の下端部をマスト取付金具１２ａ、１２ｂ間に位置させ、マスト取付金具１２ａ、１２ｂのネジ挿通穴１５ａ、１５ｂからネジ２３ａ、２３ｂを挿入してマスト１３のネジ穴２１ａ、２１ｂに螺着すると共に、マスト取付金具１２ａ、１２ｂの円弧状の溝１６ａ、１６ｂからネジ２４ａ、２４ｂを挿入してマスト１３のネジ穴２２ａ、２２ｂに螺着する。この場合、ネジ２３ａ、２３ｂ及びネジ２４ａ、２４ｂを緩めることにより、マスト１３はネジ２３ａ、２３ｂを中心軸として前後方向に回動可能となり、ネジ２４ａ、２４ｂが円弧状の溝１６ａ、１６ｂ内を移動する範囲例えば約４５°の範囲で仰角を調整することができる。この場合、マスト１３は、支持ベース１１に対して垂直の位置から後部方向に約４５°の範囲で回動することができる。マスト取付金具１２ａ、１２ｂは、上記のようにマスト仰角調整機能を備えた構成となっている。
【００２０】
上記のようにマスト１３をマスト取付金具１２ａ、１２ｂに取付けた状態では、支持ベース１１からマスト１３の上端までの高さＨ２は、マスト１３の高さによって異なるがこの例では約４１２ｍｍとなっている。
【００２１】
次に上記アンテナ屋根取付金具を用いて家屋の屋根にアンテナを取付ける場合について説明する。
【００２２】
図３（ａ）はアンテナ屋根取付金具を家屋の屋根３１に取付けた状態を示す斜視図、同図（ｂ）はアンテナ屋根取付金具にマスト１３を介してアンテナを取付けた状態を示す斜視図である。なお、この実施例１におけるアンテナ屋根取付金具は、例えばスレートやガルバリウム鋼板など、平面度のある屋根部材を用いた屋根３１に取付ける場合を取付け対象としている。
【００２３】
先ず、事前に受信レベルを調査し、家屋の屋根３１における受信可能な位置を決め、図３（ａ）に示すように受信可能位置の屋根部材３２にマスト取付け前のアンテナ屋根取付金具を取付ける。この場合、支持ベース１１の前端１０を矢印ａで示す屋根３１の傾斜方向（雨樋方向）に対して略垂直の方向に、すなわち前端１０が雨樋（図示せず）と平行となるように取付孔１４を利用してネジ３３により屋根部材３２に取付ける。ネジ３３部分には、防水処理のため、コーキングやパッキンを施す。
【００２４】
次にマスト取付金具１２ａ、１２ｂにマスト１３をネジ２３ａ、２３ｂ、２４ａ、２４ｂにより取付ける。そして、屋根３１の斜度に合わせ、マスト１３が地面に対して垂直となるように仰角調整機能により調整する。すなわち、マスト取付金具１２ａ、１２ｂにおけるネジ２３ａ、２３ｂ、２４ａ、２４ｂによる締付けを緩めた状態で、マスト１３の仰角を最適位置、つまり、マスト１３が地面に対して垂直となるように調整し、その後、ネジ２３ａ、２３ｂ、２４ａ、２４ｂを締め付けてマスト１３の位置を固定する。更にマスト１３の上端部に地上デジタル放送受信用のアンテナ３６を取付金具３７により取付け、アンテナ３６の方向を電波到来方向に調整する。
【００２５】
以上で屋根３１の上にアンテナ３６を設置する工事を終了する。
【００２６】
上記アンテナ屋根取付金具を使用することにより、屋根馬を用いずに家屋の屋根にアンテナを取付けることができ、また、マスト１３にステーを張る必要が無いので一人での作業が可能となる。更に屋根馬を使用せずにアンテナ３６を設置できるので、屋根上の突起物を少なくでき、美観上においても優れ、且つ屋根馬を使用する場合に比較して使用する部材の種類を少なくでき、価格の低下を図ることができる。
【００２７】
なお、上記実施例１では、マスト取付金具１２ａ、１２ｂの側面の上部中央にネジ挿通穴１５ａ、１５ｂを設け、その下側に円弧状の溝１６ａ、１６ｂを設けた場合について示したが、その他、例えばマスト取付金具１２ａ、１２ｂの側面の略中央位置にネジ挿通穴１５ａ、１５ｂを設け、その上側の中央位置から後端方向に向かう円弧状の溝１６ａ、１６ｂを設けても、上記実施例１の場合と同様にマスト１３を回動可能に保持して仰角を調整することができる。
【実施例２】
【００２８】
次に本発明の実施例２に係るアンテナ屋根取付金具について説明する。
【００２９】
図４は本発明の実施例２に係るアンテナ屋根取付金具の構成例を示したもので、（ａ）は支持ベースを屋根の傾斜に合わせて斜めに設置すると共にマストを大地に対して垂直に保持した状態を示す正面図、（ｂ）は同側面図、（ｃ）は同上面図である。図５は同実施例２に係るアンテナ屋根取付金具において、支持ベースを水平に保持すると共にマストを大地に対して垂直に保持した状態を示したもので、（ａ）は正面図、（ｂ）は側面図、（ｃ）は上面図である。
【００３０】
図４及び図５に示すように支持ベース１１は長方形状に形成され、前端１０の幅より奥行き方向の幅が長く形成される。上記支持ベース１１の上面にマスト仰角調整機構４０Ａが設けられる。このマスト仰角調整機構４０Ａは、例えば金属部材を用いて構成したもので、仰角調整スライド金具４１ａ、４１ｂ、仰角調整アーム４２ａ、４２ｂ、マスト１３を保持するステージ４３により構成される。
【００３１】
仰角調整スライド金具４１ａ、４１ｂは、長方形状に形成されたもので、支持ベース１１の前端１０側に近接して所定の間隔で垂直に設けられる。また、仰角調整スライド金具４１ａ、４１ｂは、支持ベース１１の前端１０に対して直角の方向に、すなわち奥行き方向に横長に設けられる。上記仰角調整スライド金具４１ａ、４１ｂには、長手方向に沿ってスライド溝４４が設けられている。
【００３２】
上記スライド溝４４には、仰角調整アーム４２ａ、４２ｂの前端部がネジ４５により取付けられる。仰角調整アーム４２ａ、４２ｂは、上側がアーム保持板４２により一体に設けられている。アーム保持板４２は、仰角調整アーム４２ａ、４２ｂの前端側から所定幅だけ設けられ、後端側は開口した状態となっている。
【００３３】
上記仰角調整アーム４２ａ、４２ｂの前端部は仰角調整スライド金具４１ａ、４１ｂの内側に位置し、スライド溝４４内に外側から挿入されたネジ４５が仰角調整アーム４２ａ、４２ｂの前端部に設けられたネジ穴に螺着される。上記ネジ４５を緩めた状態では、ネジ４５がスライド溝４４内を仰角調整アーム４２ａ、４２ｂと共に任意に移動でき、アーム仰角を例えば約４５°の範囲内で調整することできる。
【００３４】
上記ステージ４３は両側部が下方に直角に所定幅折り曲げられ、この折り曲げ部分の前端側に上記仰角調整アーム４２ａ、４２ｂの後端部がネジ４６により枢着される。また、ステージ４３の両側後端部は、支持ベース１１上に設けられた支持部材４７にネジ４８により枢着される。そして、上記ステージ４３の上面中央にマスト１３が装着される。
【００３５】
上記のように構成されたアンテナ屋根取付金具は、図５に示すように支持ベース１１を水平に保持し、マスト１３を大地に対して垂直に保持している状態では、仰角調整アーム４２ａ、４２ｂの先端部に枢着されているネジ４５が仰角調整スライド金具４１ａ、４１ｂに設けられているスライド溝４４の前端部に位置し、仰角調整アーム４２ａ、４２ｂ及びステージ４３が支持ベース１１と平行した状態となっている。
【００３６】
上記アンテナ屋根取付金具を図４に示すように傾斜した屋根に取付けた場合には、マスト仰角調整機構４０Ａによりマスト１３の仰角を調整する。このマスト仰角の調整に際しては、ネジ４５を緩めた後、ステージ４３の前端を持ち上げてマスト１３が大地に対して垂直となるように調整する。このときネジ４５は、ステージ４３の上方への移動に伴って仰角調整スライド金具４１ａ、４１ｂのスライド溝４４内を仰角調整アーム４２ａ、４２ｂと共にスライドして後方に移動する。そして、上記ステージ４３が水平状態となり、マスト１３が大地に対して垂直となった状態でネジ４５を締め付けて仰角調整アーム４２ａ、４２ｂを仰角調整スライド金具４１ａ、４１ｂに固定する。
【００３７】
上記のようにマスト１３の仰角を適正な位置に調整した後、実施例１の図３（ｂ）に示したようにマスト１３の上端部にアンテナ３６を取付金具３７により取付け、アンテナ３６の方向を電波到来方向に調整する。
【００３８】
上記実施例２では、仰角調整スライド金具４１ａ、４１ｂに設けたスライド溝４４に仰角調整アーム４２ａ、４２ｂの前端をネジ４５により装着し、スライド溝４４に沿ってネジ４５を移動させてステージ４３及びマスト１３の仰角を調整するように構成しているので、マスト１３の仰角調整が容易であり、且つステージ４３及びマスト１３の位置を確実に保持することができる。また、実施例２においても、上記実施例１と同様の効果を得ることができる。
【実施例３】
【００３９】
次に本発明の実施例３に係るアンテナ屋根取付金具について説明する。
【００４０】
図６は本発明の実施例３に係るアンテナ屋根取付金具の構成例を示したもので、（ａ）は正面図、（ｂ）は側面図、（ｃ）は上面図である。
【００４１】
この実施例３に係るアンテナ屋根取付金具は、図６に示すように支持ベース１１の上面にマスト仰角調整機構４０Ｂが設けられる。このマスト仰角調整機構４０Ｂは、一対の仰角調整板５１ａ、５１ｂ、及びマスト１３を保持するステージ５２により構成される。
【００４２】
仰角調整板５１ａ、５１ｂは、略扇状に形成されたもので、支持ベース１１上に所定の間隔で垂直に設けられる。この場合、仰角調整板５１ａ、５１ｂは、円弧状に形成された端部が支持ベース１１の前端１０側に位置するように相対向した状態で設けられる。仰角調整板５１ａ、５１ｂは、横長の長方形状に形成された基部５３の上側に扇状に形成された扇状部５４が設けられ、この扇状部５４の前縁に沿って円弧状のスライド溝５５が設けられている。
【００４３】
上記仰角調整板５１ａ、５１ｂのスライド溝５５には、ステージ５２の両側前端部がネジ５６により取付けられる。ステージ５２は両側が下方に折り曲げられており、この折り曲げ部分に設けたネジ穴に上記ネジ５６がスライド溝５５を介して螺着される。ネジ５６を緩めた状態では、ネジ５６がステージ５２と共にスライド溝５５内を移動できるようになっている。上記ステージ５２の両側後端部は、仰角調整板５１ａ、５１ｂにネジ５７により枢着される。すなわち、ステージ５２はネジ５７により保持された軸を基点とし、ネジ５６がスライド溝５５内を移動できる範囲、例えば略４５°の範囲内で仰角を調整できるように保持される。そして、上記ステージ５２の上面中央にマスト１３が装着される。
【００４４】
上記のように構成されたアンテナ屋根取付金具において、マスト１３の仰角を調整する場合は、ネジ５６を緩めた状態で、該ネジ５６及びステージ５２の前端を仰角調整板５１ａ、５１ｂに設けたスライド溝５５に沿って移動させる。このときステージ５２は、ネジ５７により保持された軸を基点とし、前端側をスライド溝５５に沿って移動できるので、ネジ５６がスライド溝５５内を移動できる範囲内で仰角を調整することができる。
【００４５】
上記ステージ５２の移動によりマスト１３が大地に対して垂直になるように調整した後、ネジ５６を締め付けてステージ５２の前端位置をスライド溝５５に固定する。その後、実施例１の図３（ｂ）に示したようにマスト１３の上端部にアンテナ３６を取付金具３７により取付け、アンテナ３６の方向を電波到来方向に調整する。
【００４６】
上記のように構成されたアンテナ屋根取付金具は、ステージ５２に装着されたマスト１３の仰角をマスト仰角調整機構４０Ｂにより調整することができるので、図３に示したように傾斜している家屋の屋根３１に装着した場合でも、マスト１３を大地に対して垂直となるように調整でき、マスト１３に装着したアンテナを電波到来方向に正しく向けることができる。
【００４７】
また、実施例３に係るアンテナ屋根取付金具は、マスト１３が装着されたステージ５２を一対の仰角調整板５１ａ、５１ｂにより保持し、該仰角調整板５１ａ、５１ｂに設けたスライド溝５５に沿ってネジ５６と共にステージ５２の前端を移動できるようにしているので、非常に簡単な構成でマスト１３の仰角を容易に調整でき、且つステージ５２及びマスト１３の位置を確実に保持することができる。また、実施例３においても、上記実施例１と同様の効果を得ることができる。
【実施例４】
【００４８】
次に本発明の実施例４に係るアンテナ屋根取付金具について説明する。
【００４９】
図７は本発明の実施例４に係るアンテナ屋根取付金具の構成例を示したもので、（ａ）は分解斜視図、（ｂ）は組立てた状態を示す斜視図である。図８（ａ）は同実施例４に係るアンテナ屋根取付金具の正面図、同図（ｂ）は側面図、同図（ｃ）は上面図である。
【００５０】
図７及び図８において、１１ａ、１１ｂは支持ベースで、上記実施例１に示した支持ベース１１を２分割して略長方形に形成したもので、幅Ｗ１は約５０ｍｍ、奥行きＷ２は約１５０ｍｍに設定される。支持ベース１１ａ、１１ｂには、それぞれ２つの取付孔１４が設けられると共に、隣接する側縁にマスト取付金具１２ａ、１２ｂが設けられる。このマスト取付金具１２ａ、１２ｂは、実施例１で示したようにネジ挿通穴１５ａ、１５ｂ及び円弧状の溝１６ａ、１６ｂを備えている。
【００５１】
上記マスト取付金具１２ａ、１２ｂは、それぞれベーススライド部６１ａ〜６１ｄにスライド可能に取付けられる。ベーススライド部６１ａ〜６１ｄは、例えば金属部材により長方形に形成され、それぞれ中央にスライド溝６２が設けられると共に両端に取付孔６３が設けられる。
【００５２】
そして、上記ベーススライド部６１ａ〜６１ｄを支持ベース１１ａ、１１ｂの各取付孔１４の下側に位置させ、下方からスライド溝６２内にネジ６４を挿入し、その先端を支持ベース１１ａ、１１ｂの各取付孔１４から上方に突出させてナット６５を螺着する。上記支持ベース１１ａ、１１ｂは、ナット６５を緩めることにより、ネジ６４と共にベーススライド部６１ａ〜６１ｄのスライド溝６２に沿って移動することが可能である。
【００５３】
上記のように構成されたアンテナ屋根取付金具は、ベーススライド部６１ａ〜６１ｄに支持ベース１１ａ、１１ｂを装着した状態で家屋の屋根に取付ける。このときベーススライド部６１ａ〜６１ｄは、屋根の傾斜方向（雨樋方向）に対して略垂直の方向に、すなわち雨樋（図示せず）と平行となるように取付孔１４を利用してネジ６６により屋根部材に取付ける。上記ネジ６６部分には、防水処理のため、コーキングやパッキンを施す。また、ベーススライド部６１ａ、６１ｂとベーススライド部６１ｃ、６１ｄとの間隔は、取付けるマスト１３の直径φに応じて設定する。
【００５４】
そして、上記マスト取付金具１２ａ、１２ｂ間に実施例１と同様にしてマスト１３を取付ける。すなわち、マスト１３の下端部をマスト取付金具１２ａ、１２ｂ間に位置させ、マスト取付金具１２ａ、１２ｂのネジ挿通穴１５ａ、１５ｂからネジ２３ａ、２３ｂを挿入してマスト１３のネジ穴２１ａ、２１ｂに螺着すると共に、マスト取付金具１２ａ、１２ｂの円弧状の溝１６ａ、１６ｂからネジ２４ａ、２４ｂを挿入してマスト１３のネジ穴２２ａ、２２ｂに螺着する。このとき支持ベース１１ａ、１１ｂは、マスト取付金具１２ａ、１２ｂの間隔がマスト１３の直径に一致するようにベーススライド部６１ａ〜６１ｄ上の位置を調整する。
【００５５】
上記マスト取付金具１２ａ、１２ｂに取付けたマスト１３は、ネジ２３ａ、２３ｂ及びネジ２４ａ、２４ｂを緩めることによりネジ２３ａ、２３ｂを中心軸として前後方向、すなわち矢印ａで示す屋根の傾斜方向に回動可能となるので、大地に対して垂直となるように調整することができる。マスト１３の位置を調整した後、ネジ２３ａ、２３ｂ及びネジ２４ａ、２４ｂを締め付けてマスト１３をマスト取付金具１２ａ、１２ｂに固定する。その後、実施例１の図３（ｂ）に示したように、マスト１３の上端部に地上デジタル放送受信用のアンテナを取付金具により取付け、アンテナの方向を電波到来方向に調整する。
【００５６】
上記実施例４によれば、ベーススライド部６１ａ〜６１ｄを屋根に取付ける際にベーススライド部６１ａ、６１ｂとベーススライド部６１ｃ、６１ｄとの間隔を任意に設定できるので、種々の直径のマスト１３であってもマスト取付金具１２ａ、１２ｂに確実に取付けることができる。また、支持ベース１１ａ、１１ｂをベーススライド部６１ａ〜６１ｄにスライド可能に取付けているので、ベーススライド部６１ａ〜６１ｄを屋根に固定した後であっても、マスト１３の直径に合わせて支持ベース１１ａ、１１ｂの位置を調整することができる。従って、ベーススライド部６１ａ〜６１ｄを屋根に固定した後、アンテナの大きさが変更され、それに合わせてマスト１３の直径が変わるような場合であっても、支持ベース１１ａ、１１ｂの位置調整によって迅速に対応することができる。また、上記実施例４においても、上記実施例１と同様の効果を得ることができる。
【実施例５】
【００５７】
次に本発明の実施例５に係るアンテナ屋根取付金具について説明する。
【００５８】
図９は本発明の実施例５に係るアンテナ屋根取付金具の構成例を示したもので、（ａ）は正面図、（ｂ）は側面図、（ｃ）は上面図である。
【００５９】
この実施例５に係るアンテナ屋根取付金具は、支持瓦７１にマスト取付金具を装着した場合について示したものである。支持瓦７１は、家屋の屋根に使用される通常の瓦と同様の形状に例えば軽量金属等を用いて形成され、屋根に取付けられている既存の瓦を外して交換することが可能に構成される。なお、この場合の例では、支持瓦７１を平瓦の形状に形成した場合を例として示している。また、矢印ａは支持瓦７１を家屋の屋根に設置した場合の傾斜方向を示している。
【００６０】
上記支持瓦７１には、図９に示すように瓦本体７２の前端に略９０°の角度で下方に突出した係合部７３が設けられると共に、左右に所定幅のフランジ７４ａ、７４ｂが設けられている。上記支持瓦７１は、アンテナを設置する家屋に使用されている既存の屋根瓦に合わせた寸法のものを使用するが、例えば横幅Ｗ３が３３５ｍｍ、奥行きＷ４が３５０ｍｍに設定される。
【００６１】
そして、上記瓦本体７２の上面には、中央より少し前端側にマスト取付金具１２ａ、１２ｂが前端に対して垂直の方向に設けられる。マスト取付金具１２ａ、１２ｂは、実施例１に示したものと同様にマスト仰角調整機能を備え、マスト１３がネジ２３ａ、２３ｂ、２４ａ、２４ｂにより取付けられ、前後方向に約４５°の範囲で仰角を調整することができる。
【００６２】
上記マスト取付金具１２ａ、１２ｂの大きさ及び間隔は、マスト１３に合わせて適宜設定される。例えばマスト１３の直径φが５０ｍｍ、長さが４００ｍｍの場合、マスト取付金具１２ａ、１２ｂの厚さｔが約１０ｍｍ、横幅ｄ１が約６９ｍｍ、高さｈが約５４ｍｍ、間隔ｄ２が約５２ｍｍに設定される。
【００６３】
また、上記瓦本体７２には、マスト取付金具１２ａ、１２ｂより少し後端側に複数例えば４つの取付穴７５が所定の間隔で設けられている。この取付穴７５は、支持瓦７１を屋根に固定するためのものである。
【００６４】
次に上記アンテナ屋根取付金具を用いて家屋の屋根にアンテナを取付ける場合について説明する。
【００６５】
図１０はアンテナ屋根取付金具を用いて家屋の屋根にアンテナを設置する場合の手順例を示したもので、（ａ）は家屋の屋根に補強板を取付けた状態を示す斜視図、（ｂ）は上記補強板にアンテナ屋根取付金具を取付けた状態を示す斜視図、（ｃ）はアンテナ屋根取付金具に装着したマストにアンテナを取付けた状態を示す斜視図である。
【００６６】
先ず、事前に受信レベルを調査し、家屋の屋根８１における受信可能な位置を決め、図１０（ａ）に示すようにその受信可能位置における例えば平瓦や和瓦等の既存の瓦８２を例えば３枚取外し、瓦８２の下の野地板８３に例えば木製の補強板８４を複数本の木ネジ８５により取付ける。このとき補強板８４は、上記取外した３枚の瓦８２の略中央位置に取付ける。図１０（ａ）において、矢印ａは屋根８１の傾斜方向を示し、矢印ｂは電波到来方向を示している。
【００６７】
次に図１０（ｂ）に示すようにアンテナ屋根取付金具における支持瓦７１を補強板８４上に載置し、取付穴７５から木ネジ８６を挿入して補強板８４上にネジ止めする。
【００６８】
このネジ止め部分には、コーキングやパッキング等により防水処理を施す。また、上記取外した３枚の瓦８２のうち、２枚の瓦８２を元の位置、すなわち支持瓦７１の両側に戻す。また、必要に応じて支持瓦７１と既存の瓦８２との間に防水処理を施す。
【００６９】
次に図１０（ｃ）に示すようにアンテナ屋根取付金具のマスト取付金具１２ａ、１２ｂにマスト１３を取付け、屋根８１の斜度に合わせ、マスト１３が地面に対して垂直となるように仰角調整機能により調整し、ネジを締め付けてマスト１３の位置を固定する。更にマスト１３の上端部に地上デジタル放送受信用のアンテナ３６を取付金具３７により取付け、アンテナ３６の方向を電波到来方向に調整する。
【００７０】
以上で屋根８１の上にアンテナ３６を設置する工事を終了する。
【００７１】
上記実施例５によれば、支持瓦７１を屋根８１上の既存の瓦８２と交換することにより、屋根馬を用いずに家屋の屋根８１にアンテナ３６を容易に取付けることができ、実施例１と同様の効果を得ることができる。なお、上記実施例５では、補強板８４として木製のものを使用した場合について示したが、例えば金属や合成樹脂等の他の部材を使用することも可能である。
【実施例６】
【００７２】
次に本発明の実施例６に係るアンテナ屋根取付金具について説明する。
【００７３】
図１１は本発明の実施例６に係るアンテナ屋根取付金具の構成例を示したもので、（ａ）は正面図、（ｂ）は側面図、（ｃ）は上面図である。
【００７４】
上記実施例５では支持瓦７１を平瓦の形状に形成した場合について示したが、この実施例６は支持瓦７１Ａを和瓦の形状に形成した場合を例として示したものである。
【００７５】
この実施例６における支持瓦７１Ａは、家屋の屋根に使用される通常の和瓦と同様の形状に例えば軽量金属等を用いて形成され、屋根に取付けられている既存の和瓦を外して交換することが可能に構成される。支持瓦７１Ａに設けられるマスト取付金具１２ａ、１２ｂは、上記実施例５と同様の構成であるので、同一部分には同一符号を付して詳細な説明は省略する。
【００７６】
上記支持瓦７１Ａは、瓦本体７２が和瓦と同様に波状に形成され、右側部及び後端部にフランジ７４が設けられている。このフランジ７４部分に隣接する和瓦が重なるようになっている。上記フランジ７４の後端部には、例えば２つの取付穴７５が設けられる。
【００７７】
また、瓦本体７２の下面には、左右の側部に突条７６ａ、７６ｂが設けられる。この突条７６ａ、７６ｂは、下側が平面状に形成され、屋根に取付けた際に瓦の下の野地板に当接して支持瓦７１を安定した状態に保持する。
【００７８】
そして、上記瓦本体７２には、略中央部にマスト取付金具１２ａ、１２ｂが設けられ、このマスト取付金具１２ａ、１２ｂにマスト１３が取付けられる。マスト取付金具１２ａ、１２ｂは、瓦本体７２の前端と垂直方向、すなわち瓦本体７２の奥行き方向と平行に設けられ、上記実施例５と同様にマスト仰角調整機能を備えている。
【００７９】
上記実施例６に係るアンテナ屋根取付金具は、アンテナを設置する屋根が和瓦を使用している場合に、アンテナ設置位置の和瓦に代えて使用することにより、上記実施例５の場合と同様にしてアンテナを容易に設置することができる。
【実施例７】
【００８０】
次に本発明の実施例７に係るアンテナ屋根取付金具について説明する。
【００８１】
図１２は本発明の実施例７に係るアンテナ屋根取付金具の構成例を示したもので、（ａ）は屋根の傾斜に合わせて斜めに設置した状態を示す正面図、（ｂ）は側面図、（ｃ）は上面図である。
【００８２】
この実施例７に係るアンテナ屋根取付金具は、実施例２に示したマスト仰角調整機構４０Ａを実施例５に示した平瓦形状の支持瓦７１上に設けたものである。上記マスト仰角調整機構４０Ａは実施例２に示したものと同様の構成であり、また、支持瓦７１は実施例５に示したものと同様の構成であるので、同一部分には同一符号を付して詳細な説明は省略する。
【００８３】
上記実施例７によれば、アンテナを設置する屋根の瓦が平瓦である場合に、支持瓦７１を屋根上の既存の平瓦と交換することにより、屋根馬を用いずに家屋の屋根にアンテナを容易に取付けることができると共に、マスト１３の仰角調整が容易であり、且つステージ４３及びマスト１３の位置を確実に保持することができる。
【実施例８】
【００８４】
次に本発明の実施例８に係るアンテナ屋根取付金具について説明する。
【００８５】
図１３は本発明の実施例８に係るアンテナ屋根取付金具の構成例を示したもので、（ａ）は屋根の傾斜に合わせて斜めに設置した状態を示す正面図、（ｂ）は側面図、（ｃ）は上面図である。
【００８６】
この実施例８に係るアンテナ屋根取付金具は、実施例２の図４に示したマスト仰角調整機構４０Ａを実施例６の図１１に示した和瓦形状の支持瓦７１Ａ上に設けたものである。上記マスト仰角調整機構４０Ａは実施例２に示したものと同様の構成であり、また、支持瓦７１Ａは実施例６に示したものと同様の構成であるので、同一部分には同一符号を付して詳細な説明は省略する。
【００８７】
上記実施例８によれば、アンテナを設置する屋根の瓦が和瓦である場合に、支持瓦７１Ａを屋根上の既存の和瓦と交換することにより、屋根馬を用いずに家屋の屋根にアンテナを容易に取付けることができると共に、マスト１３の仰角調整が容易であり、且つステージ４３及びマスト１３の位置を確実に保持することができる。
【実施例９】
【００８８】
次に本発明の実施例９に係るアンテナ屋根取付金具について説明する。
【００８９】
図１４は本発明の実施例９に係るアンテナ屋根取付金具の構成例を示したもので、（ａ）は正面図、（ｂ）は側面図、（ｃ）は上面図である。
【００９０】
この実施例９に係るアンテナ屋根取付金具は、実施例３の図６に示したマスト仰角調整機構４０Ｂを実施例５の図９に示した平瓦形状の支持瓦７１上に設けたものである。上記マスト仰角調整機構４０Ｂは実施例３（図６）に示したものと同様の構成であり、また、支持瓦７１は実施例５に示したものと同様の構成であるので、同一部分には同一符号を付して詳細な説明は省略する。
【００９１】
上記実施例９によれば、アンテナを設置する屋根の瓦が平瓦である場合に、支持瓦７１を屋根上の既存の平瓦と交換することにより、屋根馬を用いずに家屋の屋根にアンテナを容易に取付けることができると共に、非常に簡単な構成でマスト１３の仰角を容易に調整でき、且つステージ５２及びマスト１３の位置を確実に保持することができる。
【実施例１０】
【００９２】
次に本発明の実施例１０に係るアンテナ屋根取付金具について説明する。
【００９３】
図１５は本発明の実施例１０に係るアンテナ屋根取付金具の構成例を示したもので、（ａ）は正面図、（ｂ）は側面図、（ｃ）は上面図である。
【００９４】
この実施例１０に係るアンテナ屋根取付金具は、実施例３の図６に示したマスト仰角調整機構４０Ｂを実施例６の図１１に示した和瓦形状の支持瓦７１Ａ上に設けたものである。上記マスト仰角調整機構４０Ｂは実施例３（図６）に示したものと同様の構成であり、また、支持瓦７１Ａは実施例６（図１１）に示したものと同様の構成であるので、同一部分には同一符号を付して詳細な説明は省略する。
【００９５】
上記実施例１０によれば、アンテナを設置する屋根の瓦が和瓦である場合に、支持瓦７１Ａを屋根上の既存の和瓦と交換することにより、屋根馬を用いずに家屋の屋根にアンテナを容易に取付けることができると共に、非常に簡単な構成でマスト１３の仰角を容易に調整でき、且つステージ５２及びマスト１３の位置を確実に保持することができる。
【実施例１１】
【００９６】
次に本発明の実施例１１に係るアンテナ屋根取付金具について説明する。
【００９７】
図１６は本発明の実施例１１に係るアンテナ屋根取付金具の構成例を示す分解斜視図、図１７は同アンテナ屋根取付金具を組立てた状態を示す正面図である。
【００９８】
この実施例１１は、実施例５に係るアンテナ屋根取付金具において、マスト１３の水平方向の向きすなわち取付方位角度を調整可能に保持し、マスト１３に取付けられるアンテナの方向をマスト１３の手元で調整できるようにしたものである。なお、実施例５に係るアンテナ屋根取付金具と同一部分には同一符号を付して詳細な説明は省略する。
【００９９】
支持瓦７１には、図９に示した実施例５と同様に瓦本体７２上の略中央部にマスト仰角調整機能を備えたマスト取付金具１２ａ、１２ｂが設けられる。このマスト取付金具１２ａ、１２ｂには、マスト保持筒９１が装着される。
【０１００】
上記マスト保持筒９１は、下端部にネジ穴２１ａ、２１ｂ、ネジ穴２２ａ、２２ｂ、上下に所定の間隔を保って設けられる。この場合、ネジ穴２１ａ、２１ｂはマスト取付金具１２ａ、１２ｂのネジ挿通穴１５ａ、１５ｂに対応する位置に設けられ、ネジ穴２２ａ、２２ｂはマスト取付金具１２ａ、１２ｂの円弧状の溝１６ａ、１６ｂに対応する位置に設けられる。
【０１０１】
上記マスト保持筒９１は、ネジ穴２１ａ、２１ｂ、２２ａ、２２ｂがマスト取付金具１２ａ、１２ｂにネジ２３ａ、２３ｂ、２４ａ、２４ｂによりネジ挿通穴１５ａ、１５ｂ及び円弧状の溝１６ａ、１６ｂを介して回動可能に取付けられる。
【０１０２】
上記マスト保持筒９１は、マスト１３の直径より僅かに大きい内径を有し、上部開口端よりマスト１３を挿入できるようになっている。
【０１０３】
また、マスト保持筒９１には、ネジ穴２１ａ、２１ｂ、２２ａ、２２ｂより上方位置において、複数のマスト位置調整穴９２ａ、９２ｂ、…、及びマスト位置調整穴９３ａ、９３ｂ、…が上下に所定の間隔で設けられる。また、上記マスト位置調整穴９２ａ、９２ｂ、…及びマスト位置調整穴９３ａ、９３ｂ、…は、マスト保持筒９１の外周に沿って所定の間隔で螺旋状をなすように設けられる。上記マスト位置調整穴９２ａ、９２ｂ、…及びマスト位置調整穴９３ａ、９３ｂ、…は、マスト保持筒９１を貫通して設けられる。
【０１０４】
また、マスト１３の下端部には、複数例えば２つの貫通穴９４ａ、９４ｂが上下に所定の間隔で、すなわち、マスト保持筒９１のマスト位置調整穴９２ａ、９２ｂ、…とマスト位置調整穴９３ａ、９３ｂ、…に対応する位置に設けられる。
【０１０５】
上記マスト１３は、下端部をマスト保持筒９１内に挿入して貫通穴９４ａ、９４ｂをマスト保持筒９１のマスト位置調整穴９２ａ、９２ｂ、…及びマスト位置調整穴９３ａ、９３ｂ、…の何れかに一致させ、外部からマスト取付用ネジ９５ａ、９５ｂをマスト位置調整穴９２ａ、９２ｂ、…、９３ａ、９３ｂ及び貫通穴９４ａ、９４ｂに挿入し、先端を反対側から突出させてナット９６ａ、９６ｂを螺着して固定する。この場合、マスト取付用ネジ９５ａ、９５ｂを挿入するマスト位置調整穴９２ａ、９２ｂ、…及びマスト位置調整穴９３ａ、９３ｂ、…の位置を変えることにより、マスト１３の取付方位角度を調整することができる。
【０１０６】
上記のように構成されたアンテナ屋根取付金具は、実施例５の図１０（ａ）〜（ｃ）に示した手順で家屋の屋根８１に取付け、マスト１３にアンテナ３６を取付けることができる。
【０１０７】
上記実施例１１によれば、マスト取付金具１２ａ、１２ｂのマスト仰角調整機能によりマスト保持筒９１及びマスト１３の仰角を調整でき、マスト１３を大地に対して垂直の位置に調整することができる。
【０１０８】
そして、マスト保持筒９１に設けたマスト位置調整穴９２ａ、９２ｂ、…、９３ａ、９３ｂ、…を選択してマスト１３をマスト取付用ネジ９５ａ、９５ｂ及びナット９６ａ、９６ｂによりマスト保持筒９１に装着することで、マスト１３の取付方位角度、すなわちアンテナ３６の方向を調整することができる。
【０１０９】
従って、マスト１３が長くてアンテナ３６の取付け位置が高い場合やアンテナ取付け側でアンテナ方向を調整できない場合であっても、マスト１３の根元部分でアンテナ方向を容易に調整でき、マスト１３の方向調整作業を飛躍的に向上させることができる。
【０１１０】
なお、上記実施例１１に係るアンテナ屋根取付金具では、マスト保持筒９１の外周面にマスト位置調整穴９２ａ、９２ｂ、…、９３ａ、９３ｂ、…を螺旋状に設けた場合について示したが、マスト位置調整穴９２ａ、９２ｂ、…、９３ａ、９３ｂ、…は水平位置に設けても良い。但し、多数のマスト位置調整穴９２ａ、９２ｂ、…、９３ａ、９３ｂ、…を水平位置に設けると、穴の間隔が狭くなってマスト保持筒９１の強度が弱くなる場合があるので、螺旋状に設けて穴の間隔を広くすることによりマスト保持筒９１の強度低下を防止することができる。
【０１１１】
また、上記実施例１１に係るアンテナ屋根取付金具では、マスト保持筒９１にマスト位置調整穴９２ａ、９２ｂ、…、９３ａ、９３ｂ、…を設け、マスト１３に貫通穴９４ａ、９４ｂを設けた場合について示したが、マスト保持筒９１に貫通穴９４ａ、９４ｂを設け、マスト１３にマスト位置調整穴９２ａ、９２ｂ、…、９３ａ、９３ｂ、…を設けるようにしても、マスト１３の取付方位角度を調整することが可能である。
【０１１２】
また、上記実施例１１に係るアンテナ屋根取付金具は、支持瓦７１を平型に形成した場合について示したが、例えば和瓦等、他の種類の瓦の形状に形成した場合であっても同様にして実施し得るものである。また、支持瓦７１に代えて実施例１に示した支持ベース１１を使用してもよい。
【０１１３】
また、マスト仰角調整機構も実施例１１に示したものに限定されるものではなく、他の実施例に示した任意のマスト仰角調整機構を使用することが可能である。
【０１１４】
更に本発明は上記実施の形態そのままに限定されるものではなく、実施段階ではその要旨を逸脱しない範囲で構成要素を変形して具体化できるものである。
【符号の説明】
【０１１５】
１１、１１ａ、１１ｂ…支持ベース、１２ａ、１２ｂ…マスト取付金具、１３…アンテナマスト、１４…取付孔、１５ａ、１５ｂ…ネジ挿通穴、１６ａ、１６ｂ…溝、２１ａ、２１ｂ、２２ａ、２２ｂ…ネジ穴、２３ａ、２３ｂ、２４ａ、２４ｂ…ネジ、３１…屋根、３２…屋根部材、３３…ネジ、３６…アンテナ、３７…取付金具、４０Ａ、４０Ｂ…マスト仰角調整機構、４１ａ、４１ｂ…仰角調整スライド金具、４２ａ、４２ｂ…仰角調整アーム、４２…アーム保持板、４３…ステージ、４４…スライド溝、４５、４６、４８…ネジ、４７…支持部材、５１ａ、５１ｂ…仰角調整板、５２…ステージ、５３…仰角調整板の基部、５４…仰角調整板の扇状部、５５…スライド溝、５６、５７…ネジ、６１ａ〜６１ｄ…ベーススライド部、６２…スライド溝、６３…取付孔、６４、６６…ネジ、６５…ナット、７１、７１Ａ…支持瓦、７２…瓦本体、７３…係合部、７４、７４ａ、７４ｂ…フランジ、７５…取付穴、７６ａ、７６ｂ…突条、８１…屋根、８２…瓦、８３…野地板、８４…補強板、８５、８６…木ネジ、９１…マスト保持筒、９２ａ、９２ｂ、９３ａ、９３ｂ…マスト位置調整穴、９４ａ、９４ｂ…貫通穴、９５ａ、９５ｂ…マスト取付用ネジ、９６ａ、９６ｂ…ナット。
【図１】
2011089336.tif 000003
【図２】
2011089336.tif 000004
【図３】
2011089336.tif 000005
【図４】
2011089336.tif 000006
【図５】
2011089336.tif 000007
【図６】
2011089336.tif 000008
【図７】
2011089336.tif 000009
【図８】
2011089336.tif 000010
【図９】
2011089336.tif 000011
【図１０】
2011089336.tif 000012
【図１１】
2011089336.tif 000013
【図１２】
2011089336.tif 000014
【図１３】
2011089336.tif 000015
【図１４】
2011089336.tif 000016
【図１５】
2011089336.tif 000017
【図１６】
2011089336.tif 000018
【図１７】
2011089336.tif 000019